(57)【要約】【課題】従来の財布は、携帯している状態のときにスキミング装置を近づけると財布に収納されているカードのデータをスキミング装置が読み取ってしまうという問題点があった。【解決手段】財布１は、硬貨を収納する小銭入れ３と、紙幣を収納する札入れ２と、カード収納手段としてのカード入れ４とを備えている。マグネット板６は、札入れ２の右側前部７と、小銭入れ３との間に挟まれて札入れ２に取り付けられている。もう１枚のマグネット板５は、札入れ２の左側前部７とカード入れ４との間に挟まれて札入れ２に取り付けられている。マグネット板６，７が、データが記憶されたカードに被さり、スキミング装置によるデータの読み込みを妨害する。【選択図】図２
2006223780.tif 000002
【特許請求の範囲】
【請求項１】
スキミング装置により読み取ることができるデータを記憶しているカードを収納するカード収納手段を少なくとも備える財布において、
前記財布を携帯した状態のとき、前記カード収容手段の両面を挟む状態になる位置に、前記スキミング装置による前記データの読み取りを妨害する遮蔽板を備えていることを特徴とする財布。
【請求項２】
前記遮蔽板は、金属微粒子を含む樹脂板またはゴム板、若しくは金属板または網状金属板を基材として形成され、または、それら板を層状に重ね合わせた合板を基材として形成されていることをすることを特徴とする請求項１に記載の財布。
【請求項３】
前記遮蔽板の金属微粒子または金属板若しくは網状金属板は、磁気を有していることを特徴とする請求項２に記載の財布。
【発明の詳細な説明】
【技術分野】
【０００１】  本発明は、スキミング装置により読み取ることができるデータを記憶しているカードを収納することができる財布に関するものである。
【背景技術】
【０００２】  従来の財布には、様々な形態のもの、例えば、硬貨を主に収納する小銭入れ、紙幣を主に収納する紙幣入れ、定期券入れ付き財布等があり、これらのほとんどのものには、金融機関等で使われるカードを収納するカード入れを備えている。金融機関等で使われるカードとは、キャッシュカード、クレジットカード等のことであり、これらのカードは樹脂板を基材として形成されている。そして、カードを識別するための固有のデータを記憶させておくためのものが貼付されている。つまり、磁気カードの場合には、その表面にデータを記憶しておくための磁気ストライプが貼付され、ＩＣカードの場合には、ＩＣチップが貼付されている。【０００３】  一例として図１に示す財布は、皮革７，８が縫合されることによって形成され、札入れ２と、小銭入れ３と、３枚のカードを収容するカード入れ４とを備えている。財布を携帯するときには、図３に示すように財布を折りたたんでポケットや手さげ袋等に仕舞われる。【０００４】  カードに記憶されたデータを読み取る装置の１つとしてスキミング装置というものがある。このスキミング装置は、磁気等を感知して電気信号に変換するセンサと、そのセンサからの電気信号を数値に変換して表示するディスプレイと、数値を記憶する記憶装置とを備えている。このスキミング装置をカードに近づけると、スキミング装置はデータを読み取ることができる。読み取られたデータは、別のカードに記憶させることにより同じカードをもう一枚作ることができる。
【発明の開示】
【発明が解決しようとする課題】
【０００５】  以上に述べた従来の財布では、図３に示すように財布を携帯している状態のとき、財布に収納されているカード３４，３５，３６が仮に磁気カードの場合には、カード３４，３５，３６の磁気が財布を透過してしまう。そのため、スキミング装置を財布に近づけると、センサがその磁気等を感知し、スキミング装置は財布に収納されているカード３４，３５，３６のデータを読み取ってしまう。そのため、第三者がスキミング装置を上着等のポケットや手提げ袋等に近づけ、ポケットや手さげ袋等に入っている財布の中のカードのデータを読み取ることができる。そして、第三者は読み取ったデータを基にして偽造カードを作ることができる。
そこで、本発明は、財布にスキミング装置を近づけても、その財布に収納されたカードのデータをスキミング装置が読み取れない財布を実現することを課題とする。
【課題を解決するための手段】
【０００６】  請求項１に記載の第１の発明は、スキミング装置により読み取ることができるデータを記憶しているカードを収納するカード収納手段を少なくとも備える財布において、財布の携帯した状態のとき、前記カード収納手段の両面を挟む状態になる位置に、前記スキミング装置による前記データの読み取りを妨害する遮蔽板を備えている。【０００７】  したがって、請求項１に記載の財布によれば、カードをカード収納手段に収納し財布を携帯すると、遮蔽板がカード収納手段の両面を挟むような状態になる。このとき、スキミング装置が財布に近づいても、遮蔽板がスキミング装置とカード収納手段との間に位置する。そのため、遮蔽板がカードとスキミング装置とを遮り、スキミング装置によるデータの読み取りを妨害する。【０００８】  請求項２に記載の第２の発明は、第１の発明に加え、前記遮蔽板は、金属微粒子を含む樹脂板またはゴム板、若しくは金属板または網状金属板を基材として形成され、または、それら板を層状に重ね合わせた合板を基材として形成されている。【０００９】  したがって、請求項２に記載の財布によれば、カードをカード収納手段に収納し財布を携帯すると、金属微粒子を含む樹脂板またはゴム板、若しくは金属板または網状金属板を基材とする遮蔽板、または、それら板を層状に重ね合わせた合板を基材とする遮蔽板がカード収納手段の両面を挟むような状態になる。このとき、スキミング装置が財布に近づいても、遮蔽板がスキミング装置とカード収納手段との間に位置する。そのため、遮蔽板がカードとスキミング装置とを遮り、スキミング装置によるデータの読み取りを妨害する。【００１０】  請求項３に記載の第３の発明は、第１または第２の発明に加え、遮蔽板の金属微粒子または金属板若しくは網状金属板が磁気を有している。【００１１】  したがって、請求項３に記載の財布によれば、第１の発明または第２の発明の作用に加え、さらに、遮蔽板の金属微粒子または金属板若しくは網状金属板の磁気がセンサの機能を低下させ、スキミング装置によるデータの読み取りを妨害する。
【発明の効果】
【００１２】  本発明によると、スキミング装置を財布に近づけても、財布に収納されたカードのデータをスキミング装置が読み取るのを防ぐ効果を発揮する。そのため、第三者は、スキミング装置を上着等のポケットや手提げ袋等に近づけ、ポケットや手さげ袋等に入っている財布の中のカードのデータを読み取ることができなくなる。そして、第三者は読み取ったデータを基にして偽造カードを作ることができない。
【発明を実施するための最良の形態】
【００１３】  以下、本発明を具体化した一実施形態を図１乃至図４に従って説明する。図１は本発明の一実施形態である財布を示す斜視図、図２は遮蔽板の取り付け位置を説明する分解斜視図、図３は財布を携帯したときの形状を示す斜視図、図４は図３のように財布を携帯したときの遮蔽板とカードとの位置関係を示す斜視図である。【００１４】  図１に示す財布は、紙幣を収納する札入れ２と、硬貨を収納する小銭入れ３と、カード収納手段としてのカード入れ４とを備えている。札入れ２と小銭入れ３との間、及び札入れ２とカード入れ４との間には遮蔽板としてのマグネット板５，６を備えている。【００１５】  図２に示すように札入れ２は、２対の長方形の皮革７，８が重ねられ、その左端９、右端１０，下端１１が縫合されて、その２対の皮革７，８の間に紙幣を挿入可能に形成されている。札入れ２の縦と横の長さは、拡げた紙幣を収容できる十分な長さを有している。【００１６】  小銭入れ３は、３枚の皮革１２，１３，１４が袋状に縫合されれて形成され、その皮革うちの１枚１４が小銭入れ３の蓋１５を兼ねている。また、小銭入れ３には、蓋１５を固定するための掛止具１６が取り付けられている【００１７】  カード入れ４は、大きさの異なった４枚の皮革１７，１８，１９，２０が階段状に重ねられ、その左端９、右端２１、下端２２が縫合されることによって、３つのカード差し入れ口２３，２４，２５が形成されている。カード入れ４の縦と横の長さは、小銭入れ３の縦と横の長さと同じ長さである。【００１８】  図２に示すように、札入れ２と小銭入れ３との間、及びの札入れ２とカード入れ４との間には四角形のマグネット板５，６を備えている。２枚のマグネット板５，６は、共に同じ大きさであり、磁化された金属微粒子を含むゴムを基材とする薄い板であり、片面にポリ塩化ビニールシートが貼付されている。マグネット板５，６に貼付されるシートはプラスチックに限らずどのような材質のものでもよく、例えば、ゴムシートや薄いステンレス板等でもよい。マグネット板５，６の形状は面取りが施されたり、角が丸められたりしていてもよい。【００１９】  マグネット板５，６のポリ塩化ビニールシートが貼付されていない面は、札入れ２の方に向いている。このようにするのはマグネット板５，６の磁気がカードに影響を与えないようにするためである。マグネット板６は、札入れ２の右側前部７と、小銭入れ３との間に挟まれて、小銭入れ３の上端２６、下端２７、左端２８、右端２９を札入れ２と縫合されて取り付けられている。もう１枚のマグネット板５は、札入れ２の左側前部７とカード入れ４との間に挟まれて、カード入れ４の上端３０、下端２２、左端９、右端２１を札入れ２と縫合されて取り付けられている。【００２０】  次に、上記のように構成された本実施形態の作用及び効果について説明する。３枚のカード３４，３５，３６をカード入れ口２３，２４，２５に１枚ずつ挿入する。そして、図３に示すように財布を札入れ２の中央で折りたたみ、携帯する状態にする。すると、マグネット板５，６とカード３４，３５，３６との位置関係は図４に示すような状態になり、２枚のマグネット板５，６がカード入れ４に挿入されたカード３４，３５，３６��挟むように位置する。このとき、スキミング装置が財布に近づくと、マグネット板５，６がスキミング装置とカードとの間に位置してカード３４，３５，３６に被さってセンサを遮り、さらにマグネット板５，６の磁気がセンサの機能を低下させる。スキミング装置はカード３４，３５，３６のデータの読み込みを妨害される。【００２１】  また、財布に貨幣が入れられる等して財布が変形すると、ゴム板を基材としているためマグネット板５，６も財布の変形に同調して変形する。財布の形状が元に戻ると、マグネット板５，６の形状も元に戻る。【００２２】  したがって、本実施形態の財布を利用すれば、スキミング装置を財布に近づけても、カード入れ４に収納されたカード３４，３５，３６のデータをスキミング装置が読み取るのを防ぐ効果を発揮する。そのため、第三者は、スキミング装置を上着等のポケットや手提げ袋等に近づけ、ポケットや手さげ袋等に入っている財布の中のカードのデータを読み取ることができなくなる。そして、第三者は読み取ったデータを基にして偽造カードを作ることができない。また、財布の変形と同様にしてマグネット板５，６も変形するため、従来の財布と使用感が変わらない。【００２３】  本発明は、上述した財布の形状または材質に限られず、遮蔽板の形状や取り付け位置を変えることにより、どのような財布にも実現させることができる。例えば、小銭入れの内部や紙幣入れの内部にカード入れが備わったものであってもよい。この場合には、小銭入れの側面や紙幣入れの側面にカード入れを間に挟むように遮蔽板を備えればよい。遮蔽板の基材はマグネット板に限らず、樹脂板、ステンレス等の金属板または網状金属板等であってもよく、それら板を層状に重ね合わせた合板を基材としてもよい。また、遮蔽板の厚さは自由に設定してもよい。【００２４】  また、財布に備えられる遮蔽板は２枚に限らず、どのような枚数であってもよい。例えば、札入れを形成する２枚の皮革と同じ大きさの１枚の遮蔽板を、どちらか１枚の皮革の裏地に貼付し、または皮革と裏地との間に備えてもよい。また、財布を形成する皮革の一部として遮蔽板を用いてもよい。例えば、札入れの内部の仕切り板として備えてもよい。
【図面の簡単な説明】
【００２５】
【図１】  財布の斜視図
【図２】  財布の分解斜視図
【図３】  携帯状態の財布の斜視図
【図４】  財布に収納されたカードとマグネット板との関係を示す斜視図
【符号の説明】
【００２６】    ２      札入れ
３      小銭入れ
４      カード入れ
５，６  マグネット板
３４    カード
【図１】
2006223780.tif 000003
【図２】
2006223780.tif 000004
【図３】
2006223780.tif 000005
【図４】
2006223780.tif 000006